(57)【特許請求の範囲】
【請求項１】
第１の記録媒体に記録されている第１のコンテンツデータを再符号化した第２のコンテンツデータを、前記第１の記録媒体とは異なる第２の記録媒体に書き込むと共に、前記第１のコンテンツデータから抽出した第１の部分情報を前記第２の記録媒体に書き込み、抽出した前記第１の部分情報と対応する第１の無効化部分情報を生成し、前記第１のコンテンツデータに含まれる前記第１の部分情報を、生成した前記第１の無効化部分情報に置き換えることで、前記第１のコンテンツデータを再生不能な状態に変更するコンテンツデータ移動手段と、
再生不能な状態の前記第１のコンテンツデータに含まれる前記第１の無効化部分情報を、前記第２の記録媒体に記録されている前記第１の部分情報に置き換えることで、再生不能な状態の前記第１のコンテンツデータを再生可能な状態に変更するコンテンツデータ回復手段とを備え、
前記コンテンツデータ移動手段は、前記第１のコンテンツデータを構成する複数のピクチャのうちの、他のピクチャから参照されるＩピクチャに含まれる画像の情報を、前記第１の部分情報として選択し、選択された前記第１の部分情報を無効化することによって前記第１の無効化部分情報を生成する
ことを特徴とする記録再生装置。
【請求項２】
前記記録再生装置は、さらに、
前記第１のコンテンツデータを蓄積するとともに、前記第１のコンテンツデータから前記第２のコンテンツデータを生成し、前記第１のコンテンツデータから抽出した前記第１の部分情報に基づいて生成した第２の無効化部分情報を用いて、前記第２のコンテンツデータを再生不能な状態に変更するコンテンツデータ取得手段を備え、
前記コンテンツデータ移動手段は、
前記第２のコンテンツデータを前記第２の記録媒体に書き込む際に、前記第１のコンテンツデータから抽出した前記第１の部分情報と対応する第２の部分情報を用いて、再生不能な状態の前記第２のコンテンツデータを再生可能な状態に変更する
ことを特徴とする請求項１に記載の記録再生装置。
【請求項３】
前記コンテンツデータ移動手段は、前記第１のコンテンツデータに含まれる前記第１の部分情報を、生成した前記第１の無効化部分情報に置き換える前に、前記第１のコンテンツデータから抽出した前記第１の部分情報を第２の記録媒体に書き込む
ことを特徴とする請求項１に記載の記録再生装置。
【請求項４】
前記コンテンツデータ移動手段は、前記第１のコンテンツデータを再符号化した前記第２のコンテンツデータを前記第２の記録媒体に書き込みながら、前記第１のコンテンツデータに含まれる前記第１の部分情報を、生成した前記第１の無効化部分情報に置き換える
ことを特徴とする請求項１に記載の記録再生装置。
【請求項５】
前記コンテンツデータ移動手段は、抽出した前記第2の部分情報と対応する前記第2の無効化部分情報を生成し、生成した前記第２のコンテンツデータに含まれる前記第2の部分情報を、生成した前記第2の無効化部分情報に置き換えることで前記第２のコンテンツデータを再生不能な状態に変更し、
再生不能な状態の前記第２のコンテンツデータを再生可能な状態に変更する際に、抽出した前記第１の部分情報と対応する前記第2の部分情報を生成し、再生不能な状態の前記第２のコンテンツデータに含まれる前記第2の無効化部分情報を、生成した前記第2の部分情報に置き換えることで再生不能な状態の第２のコンテンツデータを再生可能な状態に変更する
ことを特徴とする請求項２に記載の記録再生装置。
【請求項６】
前記コンテンツデータ移動手段は、再生不能な状態の前記第2のコンテンツデータに含まれる前記第2の無効化部分情報を、生成した前記第2の部分情報に置き換えながら、前記第１のコンテンツデータに含まれる第１の部分情報を、生成した前記第１の無効化部分情報に置き換える
ことを特徴とする請求項１に記載の記録再生装置。
【請求項７】
前記記録再生装置は、さらに、
前記第１のコンテンツデータをブロックに分割して蓄積する蓄積手段を備え、
前記コンテンツデータ移動手段は、前記ブロックから所定のブロックを前記第１の部分情報として抽出する
ことを特徴とする請求項１に記載の記録再生装置。
【請求項８】
前記コンテンツデータ移動手段は、前記第１のコンテンツデータがＭＰＥＧ−２システムのトランスポートストリームで多重化されたコンテンツデータである場合には、（ａ）第１のコンテンツデータを構成するＴＳパケットの一部データ、（ｂ）第１のコンテンツデータを構成するＴＳパケットのペイロードに含まれるＰＥＳパケットの一部データ、（ｃ）第１のコンテンツデータを構成するＴＳパケットのうち被参照フレームを含むＴＳパケットの一部データ、および（ｄ）第１のコンテンツデータを構成するＴＳパケットのペイロードに含まれるＰＥＳパケットの“ｉｎｄｉｃａｔｅｒ”が“１”であるＴＳパケットの一部データのいずれかを前記第１の部分情報として抽出する
ことを特徴とする請求項１に記載の記録再生装置。
【請求項９】
前記コンテンツデータ移動手段は、前記第１のコンテンツデータがＭＰＥＧ−２システムのプログラムストリームで多重化されたコンテンツデータである場合には、第１のコンテンツデータを構成するＰＳパケットの一部データを前記第１の部分情報として抽出する
ことを特徴とする請求項１に記載の記録再生装置。
【請求項１０】
前記コンテンツデータ移動手段は、前記第１のコンテンツデータがＭＰ４で符号化されたコンテンツデータである場合には、さらに、（ａ）第１のコンテンツデータに含まれる“Ｓａｍｐｌｅ  Ｓｉｚｅ  Ｂｏｘｅｓ”が示される情報の一部データ、および（ｂ）第１のコンテンツデータに含まれる“Ｓａｍｐｌｅ  ｔｏ  Ｃｈｕｎｋ  Ｂｏｘｅｓ”が示される情報の一部データのいずれかを前記第１の部分情報として抽出する
ことを特徴とする請求項１に記載の記録再生装置。
【請求項１１】
前記コンテンツデータ移動手段は、前記第１のコンテンツデータがＭＰＥＧ−２Ｖｉｄｅｏで符号化されたコンテンツデータである場合には、第１のコンテンツデータに含まれる“Ｓｌｉｃｅ  Ｈｅａｄｅｒ”が示される情報の一部データを前記第１の部分情報として抽出する
ことを特徴とする請求項１に記載の記録再生装置。
【請求項１２】
前記コンテンツデータ移動手段は、前記第１のコンテンツデータがＭＰＥＧ−４Ｖｉｄｅｏで符号化されたコンテンツデータである場合には、（ａ）第１のコンテンツデータに含まれる“Ｖｉｄｅｏ  Ｏｂｊｅｃｔ  Ｐｌａｃｅ  Ｈｅａｄｅｒ”が示される情報の一部データ、および（ｂ）第１のコンテンツデータに含まれる“Ｖｉｄｅｏ  Ｐａｃｋｅｔ  Ｈｅａｄｅｒ”が示される情報の一部データのいずれかを前記第１の部分情報として抽出する
ことを特徴とする請求項１に記載の記録再生装置。
【請求項１３】
前記コンテンツデータ移動手段は、前記第１のコンテンツデータがＭＰＥＧ−４ＡＶＣ（ＩＴＵ−Ｔ  Ｈ．２６４）で符号化されたコンテンツデータである場合には、第１のコンテンツデータに含まれる“ＲＴＳＰＨｅａｄｅｒ”が示される情報の一部データを前記第１の部分情報として抽出する
ことを特徴とする請求項１に記載の記録再生装置。
【請求項１４】
前記記録再生装置は、さらに、
前記第２のコンテンツデータをブロックに分割して蓄積する蓄積手段を備え、
前記コンテンツデータ移動手段は、前記ブロックから所定のブロックを前記第2の部分情報として抽出する
ことを特徴とする請求項２に記載の記録再生装置。
【請求項１５】
前記コンテンツデータ移動手段は、前記第２のコンテンツデータがＭＰＥＧ−２システムのトランスポートストリームで多重化されたコンテンツデータである場合には、（ａ）第２のコンテンツデータを構成するＴＳパケットの一部データ、（ｂ）第２のコンテンツデータを構成するＴＳパケットのペイロードに含まれるＰＥＳパケットの一部データ、（ｃ）第２のコンテンツデータを構成するＴＳパケットのうち被参照フレームを含むＴＳパケットの一部データ、および（ｄ）第２のコンテンツデータを構成するＴＳパケットのペイロードに含まれるＰＥＳパケットの“ｉｎｄｉｃａｔｅｒ”が“１”であるＴＳパケットの一部データのいずれかを前記第2の部分情報として抽出する
ことを特徴とする請求項２に記載の記録再生装置。
【請求項１６】
前記コンテンツデータ移動手段は、前記第２のコンテンツデータがＭＰＥＧ−２システムのプログラムストリームで多重化されたコンテンツデータである場合には、第２のコンテンツデータを構成するＰＳパケットの一部データを前記第2の部分情報として抽出する
ことを特徴とする請求項２に記載の記録再生装置。
【請求項１７】
前記コンテンツデータ移動手段は、前記第２のコンテンツデータがＭＰ４で符号化されたコンテンツデータである場合には、（ａ）第２のコンテンツデータに含まれる“Ｓａｍｐｌｅ  Ｓｉｚｅ  Ｂｏｘｅｓ”が示される情報の一部データ、および（ｂ）第２のコンテンツデータに含まれる“Ｓａｍｐｌｅ  ｔｏ  Ｃｈｕｎｋ  Ｂｏｘｅｓ”が示される情報の一部データのいずれかを前記第2の部分情報として抽出する
ことを特徴とする請求項２に記載の記録再生装置。
【請求項１８】
前記コンテンツデータ移動手段は、前記第２のコンテンツデータがＭＰＥＧ−２Ｖｉｄｅｏで符号化されたコンテンツデータである場合には、第２のコンテンツデータに含まれる“Ｓｌｉｃｅ  Ｈｅａｄｅｒ”が示される情報の一部データを前記第2の部分情報として抽出する
ことを特徴とする請求項２に記載の記録再生装置。
【請求項１９】
前記コンテンツデータ移動手段は、前記第２のコンテンツデータがＭＰＥＧ−４Ｖｉｄｅｏで符号化されたコンテンツデータである場合には、（ａ）第２のコンテンツデータに含まれる“Ｖｉｄｅｏ  Ｏｂｊｅｃｔ  Ｐｌａｃｅ  Ｈｅａｄｅｒ”が示される情報の一部データ、および（ｂ）第１のコンテンツデータに含まれる“Ｖｉｄｅｏ  Ｐａｃｋｅｔ  Ｈｅａｄｅｒ”が示される情報の一部データのいずれかを前記第2の部分情報として抽出する
ことを特徴とする請求項２に記載の記録再生装置。
【請求項２０】
前記コンテンツデータ移動手段は、前記第２のコンテンツデータがＭＰＥＧ−４  ＡＶＣ（ＩＴＵ−Ｔ  Ｈ．２６４）で符号化されたコンテンツデータである場合には、第２のコンテンツデータに含まれる“ＲＴＳＰＨｅａｄｅｒ”が示される情報の一部データを前記第2の部分情報として抽出する
ことを特徴とする請求項２に記載の記録再生装置。
【請求項２１】
第１の記録媒体に記録されている第１のコンテンツデータを再符号化した第２のコンテンツデータを、前記第１の記録媒体とは異なる第２の記録媒体に書き込むと共に、前記第１のコンテンツデータから抽出した第１の部分情報を前記第２の記録媒体に書き込み、抽出した前記第１の部分情報と対応する第１の無効化部分情報を生成し、前記第１のコンテンツデータに含まれる前記第１の部分情報を、生成した前記第１の無効化部分情報に置き換えることで、前記第１のコンテンツデータを再生不能な状態に変更するコンテンツデータ移動ステップと、
再生不能な状態の前記第１のコンテンツデータに含まれる前記第１の無効化部分情報を、前記第２の記録媒体に記録されている前記第１の部分情報に置き換えることで、再生不能な状態の前記第１のコンテンツデータを再生可能な状態に変更するコンテンツデータ回復ステップとを含み、
前記コンテンツデータ移動ステップでは、前記第１のコンテンツデータを構成する複数のピクチャのうちの、他のピクチャから参照されるＩピクチャに含まれる画像の情報を、前記第１の部分情報として選択し、選択された前記第１の部分情報を無効化することによって前記第１の無効化部分情報を生成する
ことを特徴とする記録再生制御方法。
【請求項２２】
第１の記録媒体に記録されている第１のコンテンツデータを再符号化した第２のコンテンツデータを、前記第１の記録媒体とは異なる第２の記録媒体に書き込むと共に、前記第１のコンテンツデータから抽出した第１の部分情報を前記第２の記録媒体に書き込み、抽出した前記第１の部分情報と対応する第１の無効化部分情報を生成し、前記第１のコンテンツデータに含まれる前記第１の部分情報を、生成した前記第１の無効化部分情報に置き換えることで、前記第１のコンテンツデータを再生不能な状態に変更するコンテンツデータ移動ステップと、
再生不能な状態の前記第１のコンテンツデータに含まれる前記第１の無効化部分情報を、前記第２の記録媒体に記録されている前記第１の部分情報に置き換えることで、再生不能な状態の前記第１のコンテンツデータを再生可能な状態に変更するコンテンツデータ回復ステップとをコンピュータシステムに実行させ、
前記コンテンツデータ移動ステップでは、前記第１のコンテンツデータを構成する複数のピクチャのうちの、他のピクチャから参照されるＩピクチャに含まれる画像の情報を、前記第１の部分情報として選択し、選択された前記第１の部分情報を無効化することによって前記第１の無効化部分情報を生成する
ことを特徴とする記録再生制御プログラム。
【請求項２３】
第１の記録媒体に記録されている第１のコンテンツデータを再符号化した第２のコンテンツデータを、前記第１の記録媒体とは異なる第２の記録媒体に書き込むと共に、前記第１のコンテンツデータから抽出した第１の部分情報を前記第２の記録媒体に書き込み、抽出した前記第１の部分情報と対応する第１の無効化部分情報を生成し、前記第１のコンテンツデータに含まれる前記第１の部分情報を、生成した前記第１の無効化部分情報に置き換えることで、前記第１のコンテンツデータを再生不能な状態に変更するコンテンツデータ移動手段と、
再生不能な状態の前記第１のコンテンツデータに含まれる前記第１の無効化部分情報を、前記第２の記録媒体に記録されている前記第１の部分情報に置き換えることで、再生不能な状態の前記第１のコンテンツデータを再生可能な状態に変更するコンテンツデータ回復手段とを備え、
前記コンテンツデータ移動手段は、前記第１のコンテンツデータを構成する複数のピクチャのうちの、他のピクチャから参照されるＩピクチャに含まれる画像の情報を、前記第１の部分情報として選択し、選択された前記第１の部分情報を無効化することによって前記第１の無効化部分情報を生成する
ことを特徴とする半導体装置。
【発明の詳細な説明】
【技術分野】
【０００１】
本発明は、コンテンツデータの不正利用防止を目的とした記録再生装置、および可搬媒体を含むコンテンツデータ保護システムに関し、特に、不正利用を防止しつつユーザの利便性を高める技術に関する。
【背景技術】
【０００２】
近年、ＢＳデジタル放送や地上デジタル放送の開始に伴い、映画等のデジタルコンテンツが広く配信されるようになってきている。デジタルコンテンツ（以下、コンテンツデータと略称する。）は複製が容易であるため、著作権保護対象のコンテンツデータを不正に複製し、複製したコンテンツデータを、インターネット、記録媒体等を介して、配布するような不正行為に対して懸念が高まっている。そして、このような不正行為に対して抑制するための技術開発が進められている。例えば、著作権保護対象のコンテンツデータを保護する技術として、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）がある。
【０００３】
ＤＴＣＰは、著作権保護対象のコンテンツデータをデジタルで転送する際に、コンテンツデータを暗号化するなどして不正コピーを防止する技術である。ＤＴＣＰのようなコンテンツデータ保護技術においては、コンテンツデータにコピー制御情報を付与する。
【０００４】
一方で、コピー制御情報によってコンテンツデータのコピーが禁止されていても、そのコンテンツデータを他の記録媒体、または他の装置へ移動させたいという要望がある。例えば、デジタルテレビ、レコーダ等に内蔵されているＨＤＤ（Ｈａｒｄ  Ｄｉｓｃ  Ｄｒｉｖｅ）に記録されている著作権保護対象のコンテンツデータをＤＶＤ−ＲＡＭ、ＳＤ（Ｓｅｃｕｒｅ  Ｄｉｇｉｔａｌ）カード等のような可搬性を有する記録媒体に移動させて保存版として保管しておきたい場合等である。この場合において、ＨＤＤからＤＶＤ−ＲＡＭへ、著作権保護対象のコンテンツデータを移動させる際に、ＨＤＤに記録されている著作権保護対象のコンテンツデータを、当然、削除、または再生できない状態にしなければならない。
【０００５】
そして、コンテンツデータの移動中に電源断などの原因により、移動元のコンテンツデータと移動先のコンテンツデータとが共に損なわれ、コンテンツデータとして利用できなくなることは、コンテンツデータを利用するユーザにとっては不利益である。さらに、このようにして利用できなくなったコンテンツデータを再度入手するために出費が必要な場合には経済的な損失も発生する。
【０００６】
これに対して、不正コピーを防止しながら、コンテンツデータの喪失を招くことなく、コンテンツデータの移動を可能にする技術が提案されている（例えば、特許文献１参照。）。
【特許文献１】特開２００３−２２８５２２号公報
【発明の開示】
【発明が解決しようとする課題】
【０００７】
しかしながら、移動元のコンテンツデータが高画質コンテンツデータであり、コンテンツデータのサイズに比べて、移動先の記録容量が小さい場合には、コンテンツデータの移動前に、その画質を劣化させるなどしてサイズを小さく圧縮変換してから移動を行うのが通例である。そして、移動元のコンテンツデータを無効化する場合において、圧縮変換することによって画像の劣化したコンテンツデータだけがユーザの下に残ることになる。すなわち、再び記録容量の大きなＨＤＤへコンテンツデータを戻しても、高画質なコンテンツデータに復元されないため、コンテンツデータを利用するユーザの利益が損なわれることにつながる。
【０００８】
また、ＨＤＤから可搬記録媒体に移動を行う場合、圧縮変換をしながら移動を同時に行うと、移動に要する時間が長くなり、ユーザの利便性が損なわれることにつながる。
【０００９】
そこで、本発明は、前記問題に鑑みてなされたものであって、不正コピーを防止しながら、コンテンツデータの喪失を招くことなくコンテンツデータの移動を可能にし、さらに、圧縮変換によってサイズを小さくしても、コンテンツデータを移動元に戻す場合には、元の高画質コンテンツデータに回復することができ、且つ、可搬記録媒体、または他の記録再生装置への移動を簡易に実現する記録再生装置、およびコンテンツデータ保護システムを提供することを目的とする。
【課題を解決するための手段】
【００１０】
この問題を解決するために、本発明に係る記録再生装置は、第１の記録媒体に記録されている第１のコンテンツデータを再符号化した第２のコンテンツデータを、前記第１の記録媒体とは異なる第２の記録媒体に書き込むと共に、前記第１のコンテンツデータから抽出した第１の部分情報を前記第２の記録媒体に書き込み、抽出した前記第１の部分情報と対応する第１の無効化部分情報を生成し、前記第１のコンテンツデータに含まれる前記第１の部分情報を、生成した前記第１の無効化部分情報に置き換えることで、前記第１のコンテンツデータを再生不能な状態に変更するコンテンツデータ移動手段と、再生不能な状態の前記第１のコンテンツデータに含まれる前記第１の無効化部分情報を、前記第２の記録媒体に記録されている前記第１の部分情報に置き換えることで、再生不能な状態の前記第１のコンテンツデータを再生可能な状態に変更するコンテンツデータ回復手段とを備え、前記コンテンツデータ移動手段は、前記第１のコンテンツデータを構成する複数のピクチャのうちの、他のピクチャから参照されるＩピクチャに含まれる画像の情報を、前記第１の部分情報として選択し、選択された前記第１の部分情報を無効化することによって前記第１の無効化部分情報を生成することを特徴とする。
また、この問題を解決するにあたって、本発明は、（ａ）第１の記録媒体に記録されている第１のコンテンツデータを再符号化した第２のコンテンツデータを第１の記録媒体とは異なる第２の記録媒体に書き込むとともに、第１のコンテンツデータから抽出した第１の部分情報を第２の記録媒体に書き込み、また、抽出した第１の部分情報に対応する第１の無効化部分情報を用いて、第１のコンテンツデータを再生不能な状態に変更するコンテンツデータ移動手段と、（ｂ）第２の記録媒体に記録されている第１の部分情報を用いて、再生不能な状態の第１のコンテンツデータを再生可能な状態に変更するコンテンツデータ回復手段とを備えることとする。
【００１１】
これによって、コンテンツデータの移動時に、コンテンツデータの部分情報を移動させることにより、記録再生装置内のコンテンツデータをすべて消去することなく利用不可能な状態にする。そして、移動したコンテンツデータを記録再生装置へ再び戻す場合には、部分情報を元に戻すことにより、元の高画質でコンテンツデータを復元することができる。
【００１２】
さらに、本発明の記録再生装置は、（ａ）第１のコンテンツデータを蓄積するとともに、第１のコンテンツデータから第２のコンテンツデータを生成し、また、第１の部分情報を第１のコンテンツデータから抽出し、抽出した第１の部分情報に基づいて生成した第２の無効化部分情報を用いて、生成した第２のコンテンツデータを再生不能な状態に変更するコンテンツデータ取得手段を備え、（ｂ）コンテンツデータ移動手段は、第２のコンテンツデータを第２の記録媒体に書き込む際に、第１の部分情報を第１のコンテンツデータから抽出し、抽出した第１の部分情報に対応する第２の部分情報を用いて、再生不能な状態の第２のコンテンツデータを再生可能な状態に変更することとしてもよい。
【００１３】
これによって、コンテンツデータの移動元の記録再生装置で、第１のコンテンツデータを記録するとともに、記録媒体に移動する第２のコンテンツデータを生成する。そして、生成した第２のコンテンツデータの一部を無効化し、第２のコンテンツデータを利用不可能な状態にすることにより、同時に異なるデータ構造で同じ内容のコンテンツデータを同一の端末装置に存在させることを回避する。そして、第２のコンテンツデータを記録媒体に移動する際には、無効化されている部分情報のみを第１のコンテンツデータから復号、再符号化することにより、移動時に総てのコンテンツデータを変換して移動するよりも高速に記録媒体へ移動することができる。
【００１４】
なお、本発明は、記録再生装置として実現されるだけではなく、記録再生装置を制御する方法（以下、記録再生制御方法と呼称する。）、記録再生制御方法をコンピュータシステムなどに実行させる記録再生制御プログラム、記録再生制御プログラムを記録した記録媒体などとして実現されるとしてもよい。
【００１５】
また、記録再生装置に実装されて著作権保護対象のコンンテンツを保護する機能（以下、コンテンツデータ保護機能と呼称する。）が組み込まれたシステムＬＳＩ、コンテンツデータ保護機能をＦＰＧＡ（Field Programmable Gate Array）・ＣＰＬＤ（Complex Programmable Logic Device）などのプログラマブル・ロジック・デバイスに形成するＩＰコア（以下、コンテンツデータ保護コアと呼称する。）、コンテンツデータ保護コアを記録した記録媒体として実現されるとしてもよい。
【発明の効果】
【００１６】
以上、本発明によれば、コンテンツデータの移動元の記録再生装置が、コンテンツデータの移動時に、コンテンツデータの部分情報を移動させることにより、記録再生装置内のコンテンツデータをすべて消去することなく利用不可能な状態にする。そして、移動したコンテンツデータを記録再生装置へ再び戻す場合には、部分情報を元に戻すことにより、元の高画質コンテンツデータを復元することができる。
【００１７】
また、本発明によれば、コンテンツデータの移動元の記録再生装置で、第１のコンテンツデータを記録するとともに、第１のコンテンツデータの代わりに記録媒体に移動する第２のコンテンツデータを生成する。そして、生成した第２のコンテンツデータの一部を無効化し、第２のコンテンツデータを利用不可能な状態にすることにより、同時に異なるデータ構造で同じ内容のコンテンツデータを同一の端末装置に存在させることを回避する。そして、第２のコンテンツデータを記録媒体に移動する際には、無効化されている部分情報のみを復号、再符号化することにより、移動時に総てのコンテンツデータを変換して移動するよりも高速に記録媒体へ移動することが可能となる。
【００１８】
また、本発明によれば、選択的に部分情報を移動することによって、移動に要する再変換の時間を削減し、且つ記録媒体に記録する部分情報のデータ量を削減することも可能となる。
【発明を実施するための最良の形態】
【００１９】
（実施の形態）
以下、本発明に係る実施の形態について、図面を参照しながら説明する。
【００２０】
本実施の形態における記録再生装置は、第１のコンテンツデータを移動する際に、第１のコンテンツデータを再符号化した第２のコンテンツデータを第１のコンテンツデータの代わりに第２の記録媒体に書き込むとともに、第１のコンテンツデータから抽出した１以上の第１の部分情報を第２の記録媒体に書き込み、また、抽出した１以上の第１の部分情報と一対一に対応する１以上の第１の無効化部分情報を用いて、第１のコンテンツデータを再生不能な状態に変更する。そして、第１のコンテンツデータを回復する際に、第２の記録媒体に記録されている１以上の第１の部分情報を用いて、再生不能な状態の第１のコンテンツデータを再生可能な状態に変更することを特徴とする。
【００２１】
さらに、本実施の形態における記録再生装置は、第１のコンテンツデータを取得した際に、第１のコンテンツデータを蓄積するとともに、第１のコンテンツデータから第２のコンテンツデータを生成し、また、１以上の第１の部分情報を第１のコンテンツデータから抽出し、抽出した１以上の第１の部分情報に基づいて生成した１以上の第２の無効化部分情報を用いて、生成した第２のコンテンツデータを再生不能な状態に変更する。そして、第１のコンテンツデータの代わりに第２のコンテンツデータを第２の記録媒体に書き込む際に、１以上の第１の部分情報を第１のコンテンツデータから抽出し、抽出した１以上の第１の部分情報と一対一に対応する１以上の第２の部分情報を用いて、再生不能な状態の第２のコンテンツデータを再生可能な状態に変更することも特徴とする。
【００２２】
「第１のコンテンツデータ」とは、第１の符号化方式で符号化されたコンテンツデータである。
【００２３】
「第２のコンテンツデータ」とは、第１の符号化方式で、コンテンツデータのサイズを小さくした、若しくは、第１の符号化方式とは異なる第２の符号化方式で符号化された、コンテンツデータである。
【００２４】
「第２のコンテンツデータ」とは、第１の符号化方式とは異なる第２の符号化方式で符号化されたコンテンツデータである。
【００２５】
「第１の無効化コンテンツデータ」とは、第１のコンテンツデータにおいて１以上のブロックのデータを無効化することによって、そのままでは再生できない状態になった第１のコンテンツデータをいう。
【００２６】
「第２の無効化コンテンツデータ」とは、第２のコンテンツデータにおいて１以上のブロックのデータを無効化することによって、そのままでは再生できない状態になった第２のコンテンツデータをいう。
【００２７】
「第１の部分情報」とは、第１のコンテンツデータにおいて無効化されるブロックのデータをいう。
【００２８】
「第２の部分情報」とは、第２のコンテンツデータにおいて無効化されるブロックのデータをいう。
【００２９】
「第１の無効化部分情報」とは、第１のコンテンツデータにおいて無効化されたブロックのデータをいう。
【００３０】
「第２の無効化部分情報」とは、第２のコンテンツデータにおいて無効化されたブロックのデータをいう。
【００３１】
以上の点を踏まえて本実施の形態における記録再生装置について説明する。
【００３２】
図１に示されるように、本実施の形態における記録再生装置１０１は、コンテンツデータ供給装置１０２から供給される第１のコンテンツデータを、例えば、記録再生装置１０１に内蔵されているＨＤＤ（Ｈａｒｄ  Ｄｉｓｋ  Ｄｒｉｖｅ）等のような記録装置に記録する。さらに、ユーザの操作に応じて、第１のコンテンツデータ、または第１のコンテンツデータを低画質化した第２のコンテンツデータを、記録再生装置１０３、および可搬媒体１０４等のいずれかに移動する。また、コンテンツデータ供給装置１０２から供給された第１のコンテンツデータを削除、または再生できない状態にする。
【００３３】
なお、第１のコンテンツデータ、または第２のコンテンツデータを移動先に移動する場合には、認証処理を実行し、移動先が正規装置及び正規可搬媒体のいずれかであるか否かを確認した上で移動する。そして、認証処理に必要な暗号化技術については、例えば、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規格で定められた手順、または下記の参考文献１、および参考文献２に開示されている公知技術等があり、ここでは、その詳細については言及しない。
【００３４】
［参考文献１］  「現代暗号理論」、池野信一、小山謙二、電子情報通信学会（コロナ社）
［参考文献２］  「暗号理論入門」、岡本栄司、共立出版株式会社
【００３５】
また、必要であれば、暗号化した第２のコンテンツデータを記録しておき、第２のコンテンツデータを移動する時点で暗号を解読して第２のコンテンツデータを移動するとしてもよい。
【００３６】
ここでは、コンテンツデータ供給装置１０２等のような外部装置から供給された第１のコンテンツデータの代わりに、第１のコンテンツデータを再符号化した第２のコンテンツデータを可搬媒体１０４に移動した後、移動先から記録再生装置１０１に回復する場合について説明する。
【００３７】
なお、図１、図２に示されるように、記録再生装置１０１は、第１のコンテンツデータ１０５ａを取得した際に、第１のコンテンツデータ１０５ａを蓄積するとともに、第１のコンテンツデータ１０５ａから第２のコンテンツデータ１０６ａを生成し、また、１以上の第１の部分情報１０７ａを第１のコンテンツデータ１０５ａから抽出し、抽出した１以上の第１の部分情報１０７ａに基づいて生成した１以上の第２の無効化部分情報１０８ｂを用いて、生成した第２のコンテンツデータ１０６ａを再生不能な状態に変更する。
【００３８】
そして、記録再生装置１０１は、第１のコンテンツデータ１０５ａを移動する際に、第１のコンテンツデータ１０５ａを再符号化した第２のコンテンツデータ１０６ａを第１のコンテンツデータ１０５ａの代わりに記録再生装置１０３または可搬媒体１０４に書き込むとともに、第１のコンテンツデータ１０５ａから抽出した１以上の第１の部分情報１０７ａを記録再生装置１０３または可搬媒体１０４に書き込み、また、抽出した１以上の第１の部分情報と一対一に対応する１以上の第１の無効化部分情報１０７ｂを用いて、第１のコンテンツデータ１０５ａを再生不能な状態に変更する。そして、第１のコンテンツデータ１０５ａを回復する際に、記録再生装置１０３または可搬媒体１０４に記録されている１以上の第１の部分情報１０７ａを用いて、再生不能な状態の第１のコンテンツデータ、すなわち、第１の無効化コンテンツデータ１０５ｂを再生可能な状態に変更する。
【００３９】
また、記録再生装置１０１は、第１のコンテンツデータ１０５ａの代わりに第２のコンテンツデータ１０６ａを記録再生装置１０３または可搬媒体１０４に書き込む際に、１以上の第１の部分情報１０７ａを第１のコンテンツデータ１０５ａから抽出し、抽出した１以上の第１の部分情報１０７ａと一対一に対応する１以上の第２の部分情報（不図示）を用いて、再生不能な状態の第２のコンテンツデータ、すなわち、第２の無効化コンテンツデータ１０６ｂを再生可能な状態に変更する。
【００４０】
なお、第１の部分情報記録領域１０５は、可搬媒体１０４との認証をパスした装置のみがデータの読み書き可能となるような領域である。
【００４１】
続いて、記録再生装置１０１の構成について説明する。
【００４２】
ここでは、一例として、図３に示されるように、記録再生装置１０１は、第１のコンテンツデータ受信部１１１、第１のコンテンツデータ記録部１１２、無効化・有効化選択部１１３、復号化部１１４、符号化部１１５、第２のコンテンツデータ無効化部１１６、第２の無効化コンテンツデータ記録部１１７、第２の無効化コンテンツデータ有効化部１１８、読出し書込み部１１９、第１のコンテンツデータ無効化部１２０、および第１の無効化コンテンツデータ有効化部１２１等を備える。
【００４３】
なお、図には示されてはいないが、記録再生装置１０１は、不揮発性の記録装置、Ｉ／Ｏインターフェース、読出し書込み装置、システムＬＳＩ、およびこれ等を制御するプログラムを処理する演算処理装置等を有する。
【００４４】
第１のコンテンツデータ受信部１１１は、外部装置から第１のコンテンツデータを受信する。例えば、デジタル放送を受信するチューナ、外部装置とデータ通信を行う際の窓口となるＩ／Ｏインターフェース等である。
【００４５】
第１のコンテンツデータ記録部１１２は、受信した第１のコンテンツデータを記録する。例えば、第１のコンテンツデータ用に記録領域が割り当てられている不揮発性の記録装置である。
【００４６】
無効化・有効化選択部１１３は、第１コンテンツデータ記録部１１２に記録されている第１のコンテンツデータに基づいて、無効化・有効化する部分を選択する。例えば、システムＬＳＩに形成された無効化・有効化選択ユニット、不揮発性の記録装置に記録されている無効化・有効化選択プログラムを実行中の演算処理装置等である。
【００４７】
復号化部１１４は、第１のコンテンツデータを復号する。例えば、システムＬＳＩに形成された復号化ユニット、不揮発性の記録装置に記録されている復号化プログラムを実行中の演算処理装置等である。
【００４８】
符号化部１１５は、第１の符号化方式で符号化されたデータを第２の符号化方式で符号化する。復号した第１のコンテンツデータに基づいて、第２のコンテンツデータを生成する。例えば、システムＬＳＩに形成された符号化ユニット、不揮発性の記録装置に記録されている符号化プログラムを実行中の演算処理装置等である。
【００４９】
第２のコンテンツデータ無効化部１１６は、無効化・有効化選択部１１３の選択によって変換を行った第２のコンテンツデータの一部（部分情報）を無効化する。例えば、システムＬＳＩに形成された第１の無効化ユニット、不揮発性の記録装置に記録されている第１の無効化プログラムを実行中の演算処理装置等である。
【００５０】
第２の無効化コンテンツデータ記録部１１７は、無効化された第２のコンテンツデータを記録する。例えば、第２の無効化コンテンツデータ用に記録領域が割り当てられている不揮発性の記録装置である。
【００５１】
第２の無効化コンテンツデータ有効化部１１８は、無効化された第２のコンテンツデータを可搬媒体１０４に移動する際に、第２のコンテンツデータの有効化を行う。例えば、システムＬＳＩに形成された第１の有効化ユニット、不揮発性の記録装置に記録されている第１の有効化プログラムを実行中の演算処理装置等である。
【００５２】
読出し書込み部１１９は、第１のコンテンツデータ無効化部１２０により抽出された部分情報と、第２のコンテンツデータとを、可搬媒体１０４から読み出し、または可搬媒体１０４に書き込む。例えば、Ｉ／Ｏインターフェースに接続されている読出し書込み装置、不揮発性の記録装置に記録されている読出し書込みプログラムを実行中の演算処理装置等である。
【００５３】
第１のコンテンツデータ無効化部１２０は、第１のコンテンツデータを無効化する。例えば、システムＬＳＩに形成された第２の無効化ユニット、不揮発性の記録装置に記録されている第２の無効化プログラムを実行中の演算処理装置等である。
【００５４】
第１の無効化コンテンツデータ有効化部１２１は、第１のコンテンツデータ無効化部１２０により無効化された第１のコンテンツデータを有効化する。例えば、システムＬＳＩに形成された第２の有効化ユニット、不揮発性の記録装置に記録されている第２の有効化プログラムを実行中の演算処理装置等である。
【００５５】
さらに、図４に示されるように、無効化・有効化選択部１１３、第２の無効化コンテンツデータ有効化部１１８、第１のコンテンツデータ無効化部１２０、および第１の無効化コンテンツデータ有効化部１２１の夫々は、下記（１）〜（４）のように構成されている。
【００５６】
（１）無効化・有効化選択部１１３は、第１のコンテンツデータ解析部１２２、および第１のコンテンツデータ無効化・有効化判定部１２３等で構成されている。
【００５７】
第１のコンテンツデータ解析部１２２は、第１のコンテンツデータ記録部１１２に記録されている第１のコンテンツデータを読み出し、読み出した第１のコンテンツデータを解析する。
【００５８】
第１のコンテンツデータ無効化・有効化判定部１２３は、第１のコンテンツデータにおいて無効化する第１の部分情報を特定する。また、第１の無効化コンテンツデータにおいて有効化する第１の無効化部分情報を特定する。
【００５９】
また、第２のコンテンツデータ無効化部１１６は、第２の無効化データ生成部１２４、および第２の無効化データ合成部１２５等で構成されている。
【００６０】
第２の無効化データ生成部１２４は、第２の部分情報を無効化する無効化データを生成する。
【００６１】
第２の無効化データ合成部１２５は、第２のコンテンツデータと、無効化データとを合成し、第２のコンテンツデータを無効化する。
【００６２】
（２）第２の無効化コンテンツデータ有効化部１１８は、第２の無効化コンテンツデータ合成部１２６等で構成されている。
【００６３】
第２の無効化コンテンツデータ合成部１２６は、第１のコンテンツデータ無効化・有効化判定部１２３において判定された結果に基づいて、第２の無効化コンテンツデータ記録部１１７に記録されている第２の無効化コンテンツデータと、符号化部１１５から転送された第２の部分情報とを合成し、第２の無効化コンテンツデータを有効化し、有効化した第２の無効化コンテンツデータ、すなわち、第２のコンテンツデータを、読出し書込み部１１９を介して可搬媒体１０４のコンテンツデータ記録領域１０６に記録する。
【００６４】
（３）第１のコンテンツデータ無効化部１２０は、第１の無効化データ生成部１２７、および第１の無効化データ合成部１２８等で構成されている。
【００６５】
第１の無効化データ生成部１２７は、第１の部分情報を無効化する無効化データを生成する。
【００６６】
第１の無効化データ合成部１２８は、第１のコンテンツデータと、無効化データとを合成し、第１のコンテンツデータを無効化する。
【００６７】
（４）第１の無効化コンテンツデータ有効化部１２１は、第１の部分情報解析部１３０、第１の無効化コンテンツデータ合成部１２９等で構成されている。
【００６８】
第１の部分情報解析部１３０は、可搬媒体１０４の部分情報記録領域１０５から読出し書込み部１１９を介して第１の部分情報を読み出し、読み出した第１の部分情報を解析し、解析した結果と、解析した第１の部分情報とを第１の無効化コンテンツデータ合成部１２９に転送する。
【００６９】
第１の無効化コンテンツデータ合成部１２９は、第１のコンテンツデータ無効化・有効化判定部１２３において判定された結果に基づいて、第１のコンテンツデータ記録部１１２に記録されている第１の無効化コンテンツデータと、第１の部分情報解析部１３０から転送された第１の部分情報とを合成し、第１の無効化コンテンツデータを有効化し、有効化した第１の無効化コンテンツデータ、すなわち、第１のコンテンツデータを、第１のコンテンツデータ記録部１１２に記録する。
【００７０】
続いて、無効化・有効化選択部１１３において選択される領域について説明する。
【００７１】
ここでは、ＭＰＥＧ−１、ＭＰＥＧ−２、ＭＰＥＧ−４、ＭＰＥＧ−４ＡＶＣ（ＩＴＵ−Ｔ  Ｈ．２６４）などで用いられる画面間差分符号化の参照関係を一例として説明する。
【００７２】
なお、図５に示されるように、画面間差分符号化方式は、差分の元となる参照画像と、符号化対象の画像との差分をとり、差分の領域を直行変換などで変換して、圧縮符号化する方式である。
【００７３】
なお、画像１４５、１４６、１４１、１４４、・・・、１４２、・・・、１４３は各時間の表示順に並べられた画像である。
【００７４】
例えば、画像１４５と、画像１４１との差分をとり、差分の残差を符号化する。また、画像１４４のように、画像１４１と画像１４２の両方の画像から差分をとり、残差を符号化する場合もある。
【００７５】
これに対して、画像１４１は、画面内符号化方式で符号化されており、他の画像を参照せず、単独で復号可能である。また、Ｉ−Ｐｉｃｔｕｒｅと呼ばれている。Ｉ−Ｐｉｃｔｕｒｅは、単独で再生可能であるため、途中再生などの起点となり、他の差分符号化画像から参照される。そして、キーとなる画像であるため、キーフレームとも呼ばれる。
【００７６】
従って、このキーフレームを無効化、すなわち、再生不可能な状態にすれば、キーフレームを参照しているすべての画像は完全に再生することが不可能になる。
【００７７】
続いて、符号化部１１５において符号化される画像（Ｐｉｃｔｕｒｅ）の符号化単位について説明する。
【００７８】
図６に示されるように、ＭＰＥＧ−１、ＭＰＥＧ−２、ＭＰＥＧ−４、ＭＰＥＧ−４ＡＶＣ（ＩＴＵ−Ｔ  Ｈ．２６４）などの符号化方式では、一枚の画像（Ｐｉｃｔｕｒｅ）を複数のマクロブロック１５００で構成されるスライスという領域に分割して符号化している。
【００７９】
スライスの中では、複数のマクロブロックのデータが連続して並んでいるため、仮に、スライスの先頭のマクロブロックのデータが正常に復号できなければ、スライス内のマクロブロックのデータは、すべて正常に復号できなくなる。ゆえに一枚の画像を完全に復号できなくするためには、各スライスの先頭マクロブロックのデータを無効化すればよいことが判る。
【００８０】
従って、Ｉ−Ｐｉｃｔｕｒｅに含まれる各スライスの先頭データを無効化することによって、ＭＰＥＧ−１、ＭＰＥＧ−２、ＭＰＥＧ−４、ＭＰＥＧ−４ＡＶＣ（ＩＴＵ−Ｔ  Ｈ．２６４）で符号化されたコンテンツデータに含まれるすべての画像データを無効化することが可能となる。
【００８１】
符号化されている方式が画面内符号化（Ｉ−Ｐｉｃｔｕｒｅ）か、画面間符号化（Ｐ−Ｐｉｃｔｕｒｅ、またはＢ−Ｐｉｃｔｕｒｅ）のいずれかを選択しているかは、符号化データの一部を解読することで判定可能である。
【００８２】
例えは、図７に示されるように、ＭＰＥＧ−２のＳｙｎｔａｘにおいて、Ｐｉｃｔｕｒｅの情報を格納するＰＨ（Ｐｉｃｔｕｒｅ  Ｈｅａｄｅｒ）の内部に、ｐｉｃｔｕｒｅ＿ｃｏｄｉｎｇ＿ｔｙｐｅという情報によって判定することが可能である。
【００８３】
また、図８に示されるように、ＭＰＥＧ−４のＳｙｎｔａｘにおいて、ＶＯＰＨ（ｖｏｐ＿ｈｅａｄｅｒ）に格納されているｖｏｐ＿ｃｏｄｉｎｇ＿ｔｙｐｅを示す情報によって符号化方式を判定することが可能である。特に、ＭＰＥＧ−４では、ＭＰＥＧ−２のスライスに相当するＶｉｄｅｏＰａｃｋｅｔに含まれるＶＰＨ（ＶｉｄｅｏＰａｃｋｅｔＨｅａｄｅｒ）を示す情報にも、ｖｏｐ＿ｃｏｄｉｎｇ＿ｔｙｐｅを示す情報が含まれている。
【００８４】
また、図９に示されるように、ＭＰＥＧ−４ＡＶＣ（Ｈ．２６４）では、各Ｓｌｉｃｅヘッダに挿入されているＳｌｉｃｅ＿ｔｙｐｅという情報で判定することも可能である。
【００８５】
続いて、以上のように構成された記録再生装置１０１の動作について説明する。以下、コンテンツデータ取得時、コンテンツデータ移動時、コンテンツデータ回復時の順に説明する。
【００８６】
先ず、コンテンツデータ取得時における記録再生装置１０１の動作について説明する。
図１０に示されるように、記録再生装置１０１は、コンテンツデータ供給装置１０２から供給されるコンテンツデータを取得する場合には、第１のコンテンツデータ記録処理（Ｓ１０１）、第２のコンテンツデータ生成処理（Ｓ１０２）、第２のコンテンツデータ無効化処理（Ｓ１０３）、第２の無効化コンテンツデータ記録処理（Ｓ１０４）を実行する。そして、第１のコンテンツデータ記録部１１２に記録されている第１のコンテンツデータの代わりに可搬媒体１０４に移動される第２のコンテンツデータを生成し、生成した第２のコンテンツデータを、無効化した状態で第２の無効化コンテンツデータ記録部１１７に記録する。
【００８７】
「第１のコンテンツデータ記録処理」とは、第１のコンテンツデータを第１のコンテンツデータ記録部１１２に記録する処理をいう。
【００８８】
「第２のコンテンツデータ生成処理」とは、第１のコンテンツデータ記録部１１２に記録されている第１のコンテンツデータから第２のコンテンツデータを生成する処理をいう。
【００８９】
「第２のコンテンツデータ無効化処理」とは、第２の部分情報を無効化することによって、第２のコンテンツデータの全体を無効化する処理をいう。
【００９０】
「第２の無効化コンテンツデータ記録処理」とは、第２の無効化コンテンツデータを第２の無効化コンテンツデータ記録部１１７に記録する処理をいう。
【００９１】
具体的には、図１１に示されるように、記録再生装置１０１は、第１のコンテンツデータ受信部１１１で、コンテンツデータ供給装置１０２などのような外部装置から受信した第１のコンテンツデータを第１のコンテンツデータ記録部１１２に記録する（Ｓ１１１）。無効化・有効化選択部１１３で、第１のコンテンツデータ記録部１１２に記録されている第１のコンテンツデータを読み出し（Ｓ１１２）、読み出した第１のコンテンツデータの中から第１の部分情報を特定する（Ｓ１１３）。また、復号化部１１４で、無効化・有効化選択部１１３において読み出された第１のコンテンツデータを復号する（Ｓ１１４）。符号化部１１５で、復号化部１１４において復号された第１のコンテンツデータを第２の符号化方式に基づいて符号化し、第２のコンテンツデータを生成する（Ｓ１１５）。第２のコンテンツデータ無効化部１１６で、符号化部１１５において生成された第２のコンテンツデータに対して、無効化・有効化選択部１１３において特定された第１の部分情報に対応する第２の部分情報を無効化し、第２のコンテンツデータを第２の無効化コンテンツデータに変更し（Ｓ１１７）、第２の無効化コンテンツデータを第２の無効化コンテンツデータ記録部１１７に記録する（Ｓ１１８）。
【００９２】
このとき、無効化・有効化選択部１１３は、第１のコンテンツデータ解析部１２２で、第１のコンテンツデータ記録部１１２に記録されている第１のコンテンツデータを読み出し、読み出した第１のコンテンツデータを解析する。解析した結果を、第１のコンテンツデータ無効化・有効化判定部１２３に転送し、解析した第１のコンテンツデータを復号化部１１４に転送する。第１のコンテンツデータ無効化・有効化判定部１２３で、第１のコンテンツデータ解析部１２２において解析された結果に基づいて、第２の無効化部分情報に対応する第１の部分情報であるか否かを判定する。判定した結果を、符号化部１１５、および第２の無効化データ合成部１２５に転送する。
【００９３】
また、第２のコンテンツデータ無効化部１１６は、第２の無効化データ生成部１２４で、第２の無効化部分情報を生成する。第２の無効化データ合成部１２５で、第１のコンテンツデータ無効化・有効化判定部１２３において判定された結果に基づいて、符号化部１１５から転送された第２のコンテンツデータと、第２の無効化データ生成部１２４から転送された第２の無効化部分情報とを合成し、第２のコンテンツデータを無効化する。無効化した第２のコンテンツデータ、すなわち、第２の無効化コンテンツデータを第２の無効化コンテンツデータ記録部１１７に記録する。
【００９４】
なお、無効化・有効化選択部１１３は、第１のコンテンツデータの符号化方式がＭＰＥＧ−２であり、第２のコンテンツデータの符号化方式がＭＰＥＧ−４である場合には、第１のコンテンツデータ解析部１２２で、第１のコンテンツデータに含まれるＰｉｃｔｕｒｅの情報が格納されているＰＨを解析し、第１のコンテンツデータ無効化・有効化判定部１２３で、第１のコンテンツデータ解析部１２２において解析されたＰＨに含まれるｐｉｃｔｕｒｅ＿ｃｏｄｉｎｇ＿ｔｙｐｅがＩ−ＰｉｃｔｕｒｅのＰｉｃｔｕｒｅを無効化すると判定する（図７参照。）。
【００９５】
これに対して、第２のコンテンツデータ無効化部１１６は、第２の無効化データ合成部１２５で、ＭＰＥＧ−４のＶＯＰＨ１７０２、およびＶＰＨ１７０４のいずれかの直後に位置するマクロブロック１６００の先頭データ１バイトを、第２の無効化データ生成部１２４において生成される第２の無効化部分情報に置き換える（図８参照。）。
【００９６】
続いて、コンテンツデータ移動時における記録再生装置１０１の動作について説明する。
【００９７】
図１２に示されるように、記録再生装置１０１は、取得したコンテンツデータを記録再生装置１０３、および可搬媒体１０４のいずれかに移動する場合には、第２の部分情報生成処理（Ｓ１２１）、第２の無効化コンテンツデータ有効化処理（Ｓ１２２）、第２のコンテンツデータ転送処理（Ｓ１２３）、第１の部分情報転送処理（Ｓ１２４）、第１のコンテンツデータ無効化処理（Ｓ１２５）、第１のコンテンツデータ書換処理（Ｓ１２６）を実行する。そして、第２の無効化コンテンツデータ記録部１１７に記録されている第２の無効化コンテンツデータを有効化し、可搬媒体１０４に移動する。
【００９８】
「第２の部分情報生成処理」とは、第１の部分情報から第２の部分情報を生成する処理をいう。
【００９９】
「第２の無効化コンテンツデータ有効化処理」とは、第２の無効化コンテンツデータ記録部１１７に記録されている第２の無効化コンテンツデータを、第２の部分情報を用いて有効化する処理をいう。
【０１００】
「第２のコンテンツデータ転送処理」とは、可搬媒体１０４のコンテンツデータ記録領域１０６に第２のコンテンツデータを書き込む処理をいう。
【０１０１】
「第１の部分情報転送処理」とは、可搬媒体１０４の部分情報記録領域１０５に第１の部分情報を書き込む処理をいう。
【０１０２】
「第１のコンテンツデータ無効化処理」とは、第１の部分情報を無効化することによって、第１のコンテンツデータの全体を無効化する処理をいう。
【０１０３】
「第１のコンテンツデータ書換処理」とは、第１のコンテンツデータ記録部１１２に記録されている第１のコンテンツデータを第１の無効化コンテンツデータに書き換える処理をいう。
【０１０４】
具体的には、図１３に示されるように、記録再生装置１０１は、無効化・有効化選択部１１３で、第１のコンテンツデータ記録部１１２に記録されている第１のコンテンツデータを読み出し（Ｓ１３１）、読み出した第１のコンテンツデータに対して、第２の部分情報に対応する第１の部分情報を特定する（Ｓ１３２）。復号化部１１４で、無効化・有効化選択部１１３において特定された第１の部分情報を復号する（Ｓ１３３）。符号化部１１５で、復号化部１１４において復号された第１の部分情報を第２の符号化方式に基づいて符号化し、第２の部分情報を生成する（Ｓ１３４）。第２の無効化コンテンツデータ有効化部１１８で、第２の無効化コンテンツデータ記録部１１７に記録されている第２の無効化コンテンツデータを読み出し、読み出した第２の無効化コンテンツデータに対して、符号化部１１４において生成された第２の部分情報を用いて第２の無効化部分情報を有効化し、第２の無効化コンテンツデータを第２のコンテンツデータに変更し（Ｓ１３５）、第２のコンテンツデータを、読出し書込み部１１９を経由して、可搬媒体１０４のコンテンツデータ記録領域１０６に記録する（Ｓ１３６）。また、第１の部分情報を読出し書込み部１１９を介して可搬媒体１０４の部分情報記録領域１０５に記録する（Ｓ１３７）。そして、第１のコンテンツデータ無効化部１２０で、第１の無効化部分情報を生成し（Ｓ１３８）、生成した第１の無効化部分情報を用いて第１の部分情報を無効化し、第１のコンテンツデータを第１の無効化コンテンツデータに変更し（Ｓ１３９）、第１のコンテンツデータ記録部１１２に記録されている第１のコンテンツデータを第１の無効化コンテンツデータに書き換える（Ｓ１４０）。
【０１０５】
このとき、無効化・有効化選択部１１３は、第１のコンテンツデータ解析部１２２で、第１のコンテンツデータ記録部１１２に記録されている第１のコンテンツデータを読み出し、読み出した第１のコンテンツデータを解析する。解析した第１のコンテンツデータを符号化部１１５に転送する。第１のコンテンツデータ無効化・有効化判定部１２３で、第１のコンテンツデータ解析部１２２において解析された結果に基づいて、第１の無効化部分情報に対応する第１の部分情報であるか否かを判定する。復号化部１１４で、第１のコンテンツデータ無効化・有効化判定部１２３において判定された結果、第１の部分情報である場合には、第１の無効化部分情報に対応する第１の部分情報を復号する。復号した第１の部分情報を第２の符号化方式に基づいて符号化し、第２の部分情報を生成する。
【０１０６】
また、第２の無効化コンテンツデータ有効化部１１８は、第２の無効化コンテンツデータ合成部１２６で、第１のコンテンツデータ無効化・有効化判定部１２３において判定された結果に基づいて、第２の無効化コンテンツデータ記録部１１７から読み出した第２の無効化コンテンツデータと、符号化部１１５において生成された第２の部分情報とを合成し、第２のコンテンツデータを有効化する。有効化した第２のコンテンツデータを、読出し書込み部１１９を介して可搬媒体１０４のコンテンツデータ記録領域１０６に記録する。
【０１０７】
さらに、無効化・有効化選択部１１３は、第１のコンテンツデータ解析部１２２で、第１のコンテンツデータ記録部１１２に記録されている第１のコンテンツデータを読み出し、読み出した第１のコンテンツデータを解析する。解析した第１のコンテンツデータを無効化データ合成部６１４に転送する。第１のコンテンツデータ無効化・有効化判定部１２３で、第１のコンテンツデータ解析部１２２において解析された結果に基づいて、第１の部分情報を無効化するか否かを判定する。判定した結果を第１の無効化データ合成部１２８に転送する。
【０１０８】
また、第１のコンテンツデータ無効化部１２０は、第１の無効化データ合成部１２８で、第１の無効化部分情報と合成する前に、第１のコンテンツデータ解析部１２２から転送された第１の部分情報を、読出し書込み部１１９を介して可搬媒体１０４の部分情報記録領域１０５に記録する。そして、第１の無効化データ生成部１２７で、第１の無効化部分情報を生成する。第１の無効化データ合成部１２８で、第１のコンテンツデータ無効化・有効化判定部１２３において判定された結果に基づいて、第１のコンテンツデータ解析部１２２から転送された第１の部分情報と、第１の無効化データ生成部１２７から転送された第１の無効化部分情報とを合成し、第１の部分情報を無効化する。無効化した第１の部分情報、すなわち、第１の無効化部分情報を第１のコンテンツデータ記録部１１２に記録する。
【０１０９】
なお、第２の無効化コンテンツデータ有効化部１１８は、ＭＰＥＧ−４で符号化された第２の無効化コンテンツデータを有効化する場合には、コンテンツデータ合成部８１８で、無効化・有効化選択部１１３においてＩ−Ｐｉｃｔｕｒｅと判定されたＰｉｃｔｕｒｅを、符号化部１１５から転送される第２の部分情報に置き換えて第２のコンテンツデータを有効化する。
【０１１０】
また、第１のコンテンツデータ無効化部１２０は、ＭＰＥＧ−２で符号化された第１のコンテンツデータを無効化する場合には、第１の無効化データ合成部１２８で、第１のコンテンツデータ無効化・有効化判定部１２３においてＩ−Ｐｉｃｔｕｒｅと判定されたＰｉｃｔｕｒｅの各スライスに含まれる最初のマクロブロックデータの先頭１バイトを、第１の無効化データ生成部１２７において生成される無効化データに置き換えて第１のコンテンツデータを無効化する。
【０１１１】
続いて、コンテンツデータ回復時における記録再生装置１０１の動作について説明する。
【０１１２】
図１４に示されるように、記録再生装置１０１は、移動先からコンテンツデータを回復する場合には、第２のコンテンツデータ削除処理（Ｓ１４１）、第１の部分情報読み出し処理（Ｓ１４２）、第１の無効化コンテンツデータ有効化処理（Ｓ１４３）、第１の無効化コンテンツデータ書換処理（Ｓ１４４）を実行する。そして、可搬媒体１０４の部分情報記録領域１０５に記録されている第１の部分情報を用いて、無効化された第１のコンテンツデータを有効化する。
【０１１３】
「第２のコンテンツデータ削除処理」とは、可搬媒体１０４のコンテンツデータ記録領域１０６に記録されている第２のコンテンツデータを削除する処理をいう。
【０１１４】
「第１の部分情報読み出し処理」とは、可搬媒体１０４の部分情報記録領域１０５から第１の部分情報を読み出す処理をいう。
【０１１５】
「第１の無効化コンテンツデータ有効化処理」とは、第１のコンテンツデータ記録部１１２に記録されている第１の無効化コンテンツデータを、第１の部分情報を用いて有効化する処理をいう。
【０１１６】
「第１の無効化コンテンツデータ書換処理」とは、第１のコンテンツデータ記録部１１２に記録されている第１の無効化コンテンツデータを第１のコンテンツデータに書き換える処理をいう。
【０１１７】
具体的には、図１５に示されるように、記録再生装置１０１は、可搬媒体１０４のコンテンツデータ記録領域１０６に記録されている第２のコンテンツデータを削除する（Ｓ１５１）。また、無効化・有効化選択部１１３で、第１のコンテンツデータ記録部１１２に記録されている第１の無効化コンテンツデータを読出し（Ｓ１５２）、読み出した第１の無効化コンテンツデータの中から、第１の無効化部分情報を特定する（Ｓ１５３）。第１の無効化コンテンツデータ有効化部１２１で、可搬媒体１０４の部分情報記録領域１０５に記録されている第１の部分情報を読み出し（Ｓ１５４）、無効化・有効化選択部１１３において特定された第１の無効化部分情報を、読み出した第１の部分情報を用いて有効化し、第１の無効化コンテンツデータを第１のコンテンツデータに変更し（Ｓ１５５）、第１のコンテンツデータ記録部１１２に記録されている第１の無効化コンテンツデータを第１のコンテンツデータに書き換える（Ｓ１５６）。
【０１１８】
このとき、無効化・有効化選択部１１３は、第１のコンテンツデータ解析部１２２で、第１のコンテンツデータ記録部１１２に記録されている第１の無効化コンテンツデータを読み出し、読み出した第１の無効化コンテンツデータを解析する。第１のコンテンツデータ無効化・有効化判定部１２３で、第１のコンテンツデータ解析部１２２において解析された結果に基づいて、第１の無効化部分情報であるか否かを判定する。判定した結果と、第１の無効化部分情報とを第１の無効化コンテンツデータ合成部１２９に転送する。
【０１１９】
また、第１の無効化コンテンツデータ有効化部１２１は、第１の部分情報解析部１３０で、可搬媒体１０４の部分情報記録領域１０５から読出し書込み部１１９を介して第１の部分情報を読み出し、読み出した第１の部分情報を解析する。解析した結果と、第１の部分情報とを第１の無効化コンテンツデータ合成部１２９に転送する。第１の無効化コンテンツデータ合成部１２９で、第１のコンテンツデータ解析部１２２において解析された結果と、第１のコンテンツデータ無効化・有効化判定部１２３において判定された結果とに基づいて、第１のコンテンツデータ解析部１２２から転送された第１の無効化部分情報と、第１の部分情報解析部１３０から転送された第１の部分情報とを合成し、第１の無効化部分情報を有効化する。有効化した第１の部分情報を、第１のコンテンツデータ記録部１１２に記録する。
【０１２０】
なお、第１の無効化コンテンツデータ有効化部１２１は、ＭＰＥＧ−２で符号化されて無効化された第１のコンテンツデータ、すなわち、第１の無効化コンテンツデータを有効化する場合には、第１の無効化コンテンツデータ合成部１２９で、第１のコンテンツデータ無効化・有効化判定部１２３においてＩ−Ｐｉｃｔｕｒｅと判定されたＰｉｃｔｕｒｅを、第１の部分情報解析部１３０から転送される第１の部分情報に置き換え、第１の無効化コンテンツデータを有効化する。
【０１２１】
以上説明したように、実施の形態における記録再生装置１０１によれば、コンテンツデータの移動時に、移動元のコンテンツデータの一部を不完全化することにより、記録しているコンテンツデータのすべてを削除することなく無効化することができる。そして、移動したコンテンツデータを、記録再生装置１０１へ再び戻す場合には、一部のデータを用いて完全化することにより、元の高画質コンテンツデータを復元することができる。
【０１２２】
また、元のコンテンツデータを記録再生装置１０１に記録する際に、同時にコンテンツデータのサイズ変換、または異なる符号化方法で符号化し、且つ一部のデータを無効化することにより、同時に２つの再生可能なコンテンツデータを一つの記録再生装置に保持することなく、移動先に転送されるコンテンツデータを最小限にとどめることが可能となり、高速にコンテンツデータの移動を行うことが可能となる。
【０１２３】
（その他）
（１）なお、第１のコンテンツデータ無効化部１２０、または第２のコンテンツデータ無効化部１１６は、ＭＰＥＧ−２ＳｙｓｔｅｍｓのＴＳ（ＴｒａｎｓＰｏｒｔ  Ｓｔｒｅａｍ）のコンテンツデータを無効化する場合には、キーフレームの各Ｓｌｉｃｅの先頭データが含まれるＴＳパケットの全体、または一部を無効化するとしてもよい。
【０１２４】
例えば、図１６に示されるように、ＭＰＥＧ−２ＳｙｓｔｅｍｓのＴＳでは、画像・音声のデータが、衛星放送など伝送に適したＴＳパケットという固定長の単位にパケタイズ、すなわち、分割されて伝送される。従って、第１のコンテンツデータ、または第２のコンテンツデータをＴＳで扱う場合には、キーフレームの各Ｓｌｉｃｅの先頭データが含まれるＴＳパケット、またはその一部を無効化することによって、コンテンツデータを無効化することができる。また、キーフレームが含まれているＴＳパケットは、ＭＰＥＧ−２  Ｓｙｓｔｅｍｓ  ＰＥＳのｉｎｄｉｃａｔｅｒが１であるＴＳパケットであるため、そのＴＳパケット、またはその一部を無効化することによって、コンテンツデータを無効化することができる。
【０１２５】
（２）なお、ＭＰＥＧ−２ＳｙｓｔｅｍｓのＰＳ（Ｐｒｏｇｒａｍ  Ｓｔｒｅａｍ）のコンテンツデータを無効化するに場合には、キーフレームの各Ｓｌｉｃｅの先頭データが含まれるパック、またはその一部を無効化するとしてもよい。
【０１２６】
例えば、図１７に示されるように、ＭＰＥＧ−２ＳｙｓｔｅｍｓのＰＳでは、画像・音声のデータを、ＤＶＤなど蓄積に適したパックという単位にパケタイズ（分割）して、伝送する。従って、第１のコンテンツデータや、変換後の第２のコンテンツデータをＰＳで扱う場合には、キーフレームの各Ｓｌｉｃｅの先頭データが含まれるパックの全体、または一部を無効化すれば、コンテンツデータを無効化することが可能となる。
【０１２７】
（３）なお、Ｉ−Ｐｉｃｔｕｒｅ、または音声データの再生に必要なＣｏｎｆｉｇｕｒａｔｉｏｎ情報が記録されている領域を含むセクタに対して、情報の無効化・有効化を行うとしてもよい。
【０１２８】
例えば、図１８に示されるように、ハードディスクなどのディスク状記録装置において、ディスクは複数のセクタという単位で管理されている。Ｉ−Ｐｉｃｔｕｒｅ、または音声データの再生に必要なＣｏｎｆｉｇｕｒａｔｉｏｎ情報が記録されている領域を含むセクタを無効化することによって、ディスクのアクセスを容易にしつつ、所望のコンテンツデータを無効化することが可能である。
【０１２９】
（４）なお、記録再生装置から可搬媒体へコンテンツデータを移動する、または可搬媒体から記録再生装置へコンテンツデータを移動する代わりに、例えば、記録再生装置から、別の記録再生装置へコンテンツデータを移動するとしてもよい。
【０１３０】
（５）なお、可搬媒体から記録再生装置へコンテンツデータを移動する際、可搬媒体に記録する各種データを消去する代わりに、例えば、可搬媒体に記録するコンテンツデータは消去せずに、復号に必要な部分情報だけを消去して、コンテンツデータを利用不可状態にするとしてもよい。また、データの消去ではなく、データの一部を破壊して利用できない状態にするとしてもよい。
【０１３１】
（６）なお、部分情報をそのまま可搬媒体に記録する代わりに、部分情報を任意の暗号化鍵で暗号化して記録するとしてもよいし、暗号化に伴い生成した暗号鍵を、再生に必要な第２の部分情報として記録するとしてもよい。
【０１３２】
（７）なお、コンテンツデータは、コンテンツデータ供給装置１０２等のように、外部装置から供給される以外にも、記録媒体を介して供給されるとしてもよい。
【０１３３】
（８）なお、コンテンツデータを無効化する周期は、ＭＰＥＧなどに代表される画像では、再生に必要なＩ−Ｐｉｃｔｔｕｒｅが挿入されている周期の代わりに、Ｉ−Ｐｉｃｔｔｕｒｅが挿入されている間隔のＮ倍（Ｎは２以上の自然数）を周期としてもよい。これにより、無効化する部分情報のデータサイズを削減すると共に、無効化・有効化に必要な処理をＮ分の１にすることが可能となる。
【０１３４】
（９）なお、コンテンツデータを無効化する周期を、再生に必要なＩ−Ｐｉｃｔｕｒｅが挿入されている周期の代わりに、移動元と移動先のそれぞれのコンテンツデータが常にＩ−Ｐｉｃｔｕｒｅでなく、時間的に近い参照に用いるＰ−Ｐｉｃｔｕｒｅ、または参照に用いられるＢ−Ｐｉｃｔｕｒｅとしてもよい。
【０１３５】
（１０）なお、無効化・有効化選択部１１３は、さらに、第２のコンテンツデータ無効化部１１６、第１のコンテンツデータ無効化部１２０、第２の無効化コンテンツデータ有効化部１１８、および第１の無効化コンテンツデータ有効化部１２１のいずれかによって実現される機能を有するとしてもよい。
【０１３６】
（１１）なお、Ｉ−Ｐｉｃｔｕｒｅを構成する各スライスの先頭マクロブロックのデータを無効化する代わりに、必ずしも各スライスすべてを無効化する必要は無く、一つおきに位置するスライスや、ランダムに選択したスライスのみを無効化するとしてもよい。
【０１３７】
（１２）なお、無効化するデータ範囲を各スライスの先頭マクロブロックデータの１バイト分とする代わりに、処理が簡易な任意場所、任意のサイズとしてもよい。
【０１３８】
（１３）なお、ＭＰＥＧ−２からＭＰＥＧ−４以外でも、ＭＰＥＧ−２からＭＰＥＧ−４ＡＶＣ（Ｈ．２６４）、若しくはＭＰＥＧ−２Ｓｙｓｔｅｍｓ  ＴＳからＭＰＥＧ−２Ｓｙｓｔｅｍｓ  ＰＳ、またはこれらの組み合わせに対して、変換して移動する場合においても無効化・有効化するとしてもよい。
【０１３９】
（１４）なお、音声データを無効化する場合には、ＰＥＳ＿Ｌｅｎｇｔｈを検出し、検出したＰＥＳ＿Ｌｅｎｇｔｈを無効化するとしてもよい。これによって、元のコンテンツデータを不完全化することが可能となる。
【０１４０】
例えば、図１９に示されるように、音声データを、ＰＥＳ（Ｐａｃｋｅｔｉｚｅｄ  Ｅｌｅｍｅｎｔａｒｙ  Ｓｔｒｅａｍ）にする際に、複数の音声データを１つのＰＥＳとして構成するのが一般的である。そして、この場合のＰＥＳのサイズはＰＥＳ＿Ｌｅｎｇｔｈ１９２というフィールドに格納される。したがって、ＰＥＳ＿Ｌｅｎｇｔｈを無効化することにより、音声データを不完全化することが可能となる。
【０１４１】
（１５）なお、図には示されてはいないが、ファイル多重化方式であるＭＰＥＧ−４ＭＰ４形式のコンテンツデータを無効化する場合には、再生を正常に行うために必須の情報であるＳａｍｐｌｅ  ｓｉｚｅ  ｂｏｘｅｓ、またはＳａｍｐｌｅ  ｔｏ  Ｃｈｕｎｋ  Ｂｏｘｅｓを無効化するとしてもよい。
【０１４２】
（１６）なお、ビデオの符号化されたＥｌｅｍｅｎｔａｒｙ  Ｓｔｒｅａｍのレベルで無効化する代わりに、Ｍｉｃｒｏｓｏｆｔ社によって策定されているＡＳＦ（Ａｄｖａｎｃｅｄ  Ｓｙｓｔｅｍ  Ｆｏｒｍａｔ）方式でパケット化されたデータに対して、Ｉ−Ｐｉｃｔｕｒｅ、または再生に必要なデータが含まれるパケットの一部、若しくはパケット全体を無効化するとしてもよい。
【０１４３】
（１７）なお、図３、図４などのブロック図に示される各機能ブロックは、典型的には集積回路であるＬＳＩとして実現される。これらは個別に１チップ化されても良いし、一部又は全てを含むように１チップ化されても良い。また、メモリ以外の機能ブロックが１チップ化されていても良い。また、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサー を利用しても良い。さらに、半導体技術の進歩又は派生する別技術によりＬＳＩに置き換わる集積回路化の技術が登場すれば、当然、その技術を用いて機能ブロックの集積化を行ってもよい。また、バイオ技術の適応等が可能性としてありえる場合には、バイオ技術によって実現されるものとしても良い。 また、各機能ブロックのうち、符号化または復号化の対象となるデータを格納する手段だけ１チップ化せずに別構成としても良い。
【０１４４】
（１８）なお、実施の形態における記録再生装置は、ＣＰＵ（Central Processing Unit）、ＲＡＭ（Random Access Memory）、ＲＯＭ（Read Only Memory）、ドライブ等を有する。
【０１４５】
「ドライブ」とは、ＨＤ（Hard Disk）、ＤＶＤ−ＲＡＭ、ＢＤ−ＲＥ（Blu-ray Disk Rewritable）、ＳＤ（Secure Digital）メモリカード等のいずれかの記録媒体からデータを読み出し、また、書き込むことが可能な機器をいう。
【０１４６】
さらに、ＲＯＭ、またはこれ等の記録媒体等のいずれかに、記録再生装置を制御するＯＳ（Operating System）がインストールされており、このＯＳが実行されることによって、記録再生装置の各機能が実現されるとしてもよい。また、ＯＳの稼動下で実行されるアプリケーションプログラムがインストールされており、そのアプリケーションプログラムが実行されることによって、各機能が実現されるとしてもよい。
【０１４７】
（１９）なお、実施の形態における記録再生装置において実行することによって、記録再生装置の各機能を実現するプログラムを記録再生制御プログラムとした場合において、記録再生制御プログラムは、コンピュータシステム、組み込みシステム等のようなハードウェアシステムに読み出され得るように、光学記録媒体（例えば、ＣＤ−ＲＯＭ等。）、磁気記録媒体（例えば、ＨＤ等）、光磁気記録媒体（例えば、ＭＯ等。）、半導体メモリ（例えば、メモリカード等。）等のようなコンピュータ読み取り可能な記録媒体に記録しておくとしてもよい。そして、これ等の記録媒体を介して、他のハードウェアシステムにおいて、記録差生成制御プログラムが実行されるとしてもよい。
【０１４８】
また、ネットワーク上のハードウェアシステムに記録再生制御プログラムを保持しておき、ネットワークを介して記録再生制御プログラムをダウンロードした他のハードウェアシステムにおいて、記録再生制御プログラムが実行されるとしてもよい。
【０１４９】
（２０）なお、記録再生装置は、Ｉ／Ｏインターフェースを有し、Ｉ／Ｏインターフェースを介して、他の外部装置、および記録媒体のいずれかからコンテンツデータを受信するとしてもよいし、他の装置、または記録媒体にコンテンツデータを送信するとしてもよい。
【０１５０】
（２１）なお、第２のコンテンツデータの作成は、第１のコンテンツデータを記録再生装置に記録すると同時に行う必要はなく、記録再生装置が記録を行っていない状態で作成してもよい。
【産業上の利用可能性】
【０１５１】
本発明は、記録しているコンテンツデータの不正コピーを防止する記録再生装置等として、特に、圧縮変換を施して移動した低画質のコンテンツデータを移動先から記録再生装置へ再び戻しても、元の高画質のコンテンツデータで復元できる記録再生装置等として、利用することができる。
【図面の簡単な説明】
【０１５２】
【図１】図１は、本発明に係る実施の形態におけるコンテンツデータ保護システムの概要を示す図である。
【図２】図２は、本発明に係る実施の形態における第１の無効化コンテンツデータおよび第２の無効化コンテンツデータのデータ構造を示す図である。
【図３】図３は、本発明に係る実施の形態における記録再生装置の構成を示す図である。
【図４】図４は、本発明に係る実施の形態における記録再生装置の詳細な構成を示す図である。
【図５】図５は、ＭＰＥＧ符号化における、画面間フレーム符号化の参照を示す図である。
【図６】図６は、ＭＰＥＧ符号化における、ピクチャ・スライス・マクロブロックのデータ構造を示す図である。
【図７】図７は、ＭＰＥＧ−２ビデオ符号化におけるシンタックスを示す図である。
【図８】図８は、ＭＰＥＧ−４ビデオ符号化におけるシンタックスを示す図である。
【図９】図９は、ＭＰＥＧ−４ＡＶＣ（Ｈ．２６４）符号化におけるシンタックスを示す図である。
【図１０】図１０は、本発明に係る実施の形態における記録再生装置において、コンテンツデータ取得時に実行される動作を示す第１の図である。
【図１１】図１１は、本発明に係る実施の形態における記録再生装置において、コンテンツデータ取得時に実行される動作を示す第２の図である。
【図１２】図１２は、本発明に係る実施の形態における記録再生装置において、コンテンツデータ移動時に実行される動作を示す第１の図である。
【図１３】図１３は、本発明に係る実施の形態における記録再生装置において、コンテンツデータ移動時に実行される動作を示す第２の図である。
【図１４】図１４は、本発明に係る実施の形態における記録再生装置において、コンテンツデータ回復時に実行される動作を示す第１の図である。
【図１５】図１５は、本発明に係る実施の形態における記録再生装置において、コンテンツデータ回復時に実行される動作を示す第２の図である。
【図１６】図１６は、ＭＰＥＧ−２  Ｓｙｓｔｅｍｓ  Ｔｒａｎｓｐｏｒｔ  Ｓｔｒｅａｍのシンタックスを示す図である。
【図１７】図１７は、ＭＰＥＧ−２  Ｓｙｓｔｅｍｓ  Ｐｒｏｇｒａｍ  Ｓｔｒｅａｍのシンタックスを示す図である。
【図１８】図１８は、一般的な記録媒体を示す図である。
【図１９】図１９は、ＭＰＥＧ−２  Ｓｙｓｔｅｍｓ  Ｔｒａｎｓｐｏｒｔ  Ｓｔｒｅａｍのシンタックスを示す図である。
【符号の説明】
【０１５３】
１００  コンテンツデータ保護システム
１０１  記録再生装置
１０２  コンテンツデータ供給装置
１０３  記録再生装置
１０４  可搬媒体
１０５  部分情報記録領域
１０６  コンテンツデータ記録領域
１１１  第１のコンテンツデータ受信部
１１２  第１のコンテンツデータ記録部
１１３  無効化・有効化選択部
１１４  復号化部
１１５  符号化部
１１６  第２のコンテンツデータ無効化部
１１７  第２の無効化コンテンツデータ記録部
１１８  第２の無効化コンテンツデータ有効化部
１１９  読出し書込み部
１２０  第１のコンテンツデータ無効化部
１２１  第１の無効化コンテンツデータ有効化部
１２２  第１のコンテンツデータ解析部
１２３  第１のコンテンツデータ無効化・有効化判定部
１２４  第２の無効化データ生成部
１２５  第２の無効化データ合成部
１２６  第２の無効化コンテンツデータ合成部
１２７  第１の無効化データ生成部
１２８  第１の無効化データ合成部 
１２９  第１の無効化コンテンツデータ合成部
１３０  第１の部分情報解析部
【図１】
0004722042.tif 000002
【図２】
0004722042.tif 000003
【図３】
0004722042.tif 000004
【図４】
0004722042.tif 000005
【図５】
0004722042.tif 000006
【図６】
0004722042.tif 000007
【図７】
0004722042.tif 000008
【図８】
0004722042.tif 000009
【図９】
0004722042.tif 000010
【図１０】
0004722042.tif 000011
【図１１】
0004722042.tif 000012
【図１２】
0004722042.tif 000013
【図１３】
0004722042.tif 000014
【図１４】
0004722042.tif 000015
【図１５】
0004722042.tif 000016
【図１６】
0004722042.tif 000017
【図１７】
0004722042.tif 000018
【図１８】
0004722042.tif 000019
【図１９】
0004722042.tif 000020